(57)【要約】【課題】  内部の宝飾品が損傷したり乱雑に分散する恐れのない宝飾品ケースを提供する。【解決手段】  本体とこれをカバーする形状のフタとからなり、本体には宝飾品の厚みの薄い部分をはめ込んで固定するためのスリットを設けた台座を組み込み、この台座とフタとの間には宝飾品を収容できる一定のスペースを設定した宝飾品ケースにおいて、前記フタには、前記台座とフタとの間のスペースを塞ぐ形状を持ち、かつ台座上に配列された宝飾品に対応する部位に切欠部又は凹みを設けた仕切り材を組み込んだ、宝飾品ケース。【選択図】          図３  
2005245556.tif 000002
【特許請求の範囲】
【請求項１】
本体とこれをカバーする形状のフタとからなり、前記本体には宝飾品の厚みの薄い部分をはめ込んで固定するためのスリットを設けた台座を組み込み、この台座とフタとの間には宝飾品を収容できる一定のスペースを設定した宝飾品ケースにおいて、
前記フタには、前記台座とフタとの間のスペースを塞ぐ形状を持ち、かつ台座上に配列された宝飾品に対応する部位に切欠部又は凹みを設けた仕切り材を組み込んだことを特徴とする宝飾品ケース。
【請求項２】
前記仕切り材が軟質材料からなることを特徴とする請求項１に記載の宝飾品ケース。
【請求項３】
前記軟質材料が軟質の発泡樹脂材であることを特徴とする請求項２に記載の宝飾品ケース。
【請求項４】
前記宝飾品ケースが、宝飾品を１個収納できる小型の宝飾品ケース又は宝飾品を複数個収納できる比較的大型の宝飾品ケースであって、前記台座には宝飾品の収納個数に対応する数のスリットが形成されていることを特徴とする請求項１〜請求項３のいずれかに記載の宝飾品ケース。
【請求項５】
前記宝飾品ケースが、以下のいずれかに該当することを特徴とする請求項１〜請求項４のいずれかに記載の宝飾品ケース。
（１）前記本体とフタは、互いに分離可能であるか、又はヒンジを介して連結されている。
（２）前記仕切り材は前記フタに対して固定的に組み込まれているか、又は取り外し可能に組み込まれている。
【請求項６】
本体とこれを覆う形状を持つフタとからなる宝飾品ケースの前記フタに組み込むための仕切り材であって、本体側に配列される宝飾品に対応する部位に切欠部又は凹みを設けたことを特徴とする仕切り材。
【請求項７】
前記仕切り材が軟質材料からなることを特徴とする請求項６に記載の仕切り材。
【請求項８】
前記軟質材料が発泡樹脂材であることを特徴とする請求項７に記載の仕切り材。
【請求項９】
前記仕切り材が、前記切欠部又は凹みを１個だけ設けた小型の仕切り材であり、又は複数の切欠部又は凹みを設けた比較的大型の仕切り材であることを特徴とする請求項６〜請求項８のいずれかに記載の仕切り材。
【発明の詳細な説明】
【技術分野】
【０００１】
本発明は宝飾品ケース及び仕切り材に関する。更に詳しくは本発明は、例えば貴金属指輪、宝石付きの指輪、イヤリング、ピアス等の宝飾品を整然と配列した状態で収納して運搬したり、そのままケースを開いて顧客等に見せたりするために用いる宝飾品ケースと、このような宝飾品ケースに組み込まれる収納宝飾品の仕切り材とに関する。
【背景技術】
【０００２】
例えば図１に示すように、従来の宝飾品ケース１は、例えば底の浅い箱状体である本体２と、これを閉じてカバーするための同様な形状のフタ３とからなる。そして、前記本体２には、宝飾品４の厚みの薄い部分（例えば、宝石付きの指輪のリング部等）をはめ込んで固定するためのスリット５を設けた台座６を組み込んでおり、この台座６とフタ３との間には、宝飾品４がフタ３と直接に接触しないように、宝飾品４を収容できる一定のスペース７を設定している。このスペース７は、箱状のフタ３における凹み部分に相当する。
【０００３】
このような宝飾品ケース１の構成により、宝飾品４は、その厚みの薄い部分をスリット５にはめ込んで、台座６上に整然と配列した状態で固定される。従って、通常の場合には、宝飾品ケース１の内部に多数の宝飾品４を整然と配列した状態で収納し、例えば営業活動において、顧客先にこれを持ち運ぶことができる。そして顧客に対して、フタ３を開けるだけで、多数の宝飾品４を体裁良く展示することができる。
【０００４】
又、宝飾品４には値札が糸等で繋がっている場合があり、その値札を顧客が見易い状態で押さえておくために、図示省略の値札押さえ用のプレートが設置される場合もある。このようなプレートは通常、本体２の左右両端間に差し渡して、かつ台座６の表面に沿うように設けられ、前記の値札をこのプレートと台座表面の間に差し込んで押さえるようになっている。
【発明の開示】
【発明が解決しようとする課題】
【０００５】
しかし、宝飾品ケース１は、必ずしも表向きにかつ水平な状態で持ち運ばれるとは限らない。その薄い箱状の形状から、むしろ縦向きの方向で、カバン等に入れて持ち運ばれる場合が多い。持ち運び等の際には、一時的に宝飾品ケース１が裏向きになることも多い。更に、宝飾品ケース１や、これを入れたカバン等に衝撃が加わる場合も多い。
【０００６】
このような場合には、宝飾品ケース１に収容した宝飾品４が、スリット５から飛び出したり抜け出したりする恐れがあった。そしてその結果、宝飾品ケース１の内部で宝飾品４が乱雑に分散し、相互に衝突して損傷を生じることがあった。又、顧客に対して宝飾品ケース１を開いて宝飾品４を見せる場合に、内部の宝飾品４が乱雑に分散していて非常な不体裁となることがあった。
【０００７】
更に、宝飾品ケース１に値札押さえ用のプレートを設置している場合、例えば顧客が宝飾品４を手に取って鑑賞しようとした際に、プレートにより値札が押さえ付けてあることを失念して取ろうとすることがあり、そのために宝飾品４と値札を繋いでいる糸が切れたり、反動で宝飾品４が指から勢いよく脱落して床に落ちてしまったりする恐れがあった。又、以上のような不具合を避けるためには、値札をプレートから丁寧に外した後に宝飾品４を取り上げる必要があるが、その手間が面倒であった。
【０００８】
そこで本発明は、宝飾品ケースにおける上記のような各種の不具合を解消することを、解決すべき課題とする。
【課題を解決するための手段】
【０００９】
（第１発明の構成）
上記課題を解決するための本願第１発明の構成は、本体とこれをカバーする形状のフタとからなり、前記本体には宝飾品の厚みの薄い部分をはめ込んで固定するためのスリットを設けた台座を組み込み、この台座とフタとの間には宝飾品を収容できる一定のスペースを設定した宝飾品ケースにおいて、
前記フタには、前記台座とフタとの間のスペースを塞ぐ形状を持ち、かつ台座上に配列された宝飾品に対応する部位に切欠部又は凹みを設けた仕切り材を組み込んだ、宝飾品ケースである。
【００１０】
（第２発明の構成）
上記課題を解決するための本願第２発明の構成は、前記第１発明に係る仕切り材が軟質材料からなる、宝飾品ケースである。
【００１１】
（第３発明の構成）
上記課題を解決するための本願第３発明の構成は、前記第２発明に係る軟質材料が軟質の発泡樹脂材である、宝飾品ケースである。
【００１２】
（第４発明の構成）
上記課題を解決するための本願第４発明の構成は、前記第１発明〜第３発明のいずれかに係る宝飾品ケースが、宝飾品を１個収納できる小型の宝飾品ケース又は宝飾品を複数個収納できる比較的大型の宝飾品ケースであって、前記台座には宝飾品の収納個数に対応する数のスリットが形成されている、宝飾品ケースである。
【００１３】
（第５発明の構成）
上記課題を解決するための本願第５発明の構成は、前記第１発明〜第４発明のいずれかに係る宝飾品ケースが、以下のいずれかに該当する、宝飾品ケースである。
（１）前記本体とフタは、互いに分離可能であるか、又はヒンジを介して連結されている。
（２）前記仕切り材は前記フタに対して固定的に組み込まれているか、又は取り外し可能に組み込まれている。
【００１４】
（第６発明の構成）
上記課題を解決するための本願第６発明の構成は、本体とこれをカバーする形状を持つフタとからなる宝飾品ケースの前記フタに組み込むための仕切り材であって、本体側に配列される宝飾品に対応する部位に切欠部又は凹みを設けた、仕切り材である。
【００１５】
（第７発明の構成）
上記課題を解決するための本願第７発明の構成は、前記第６発明に係る仕切り材が軟質材料からなる、仕切り材である。
【００１６】
（第８発明の構成）
上記課題を解決するための本願第８発明の構成は、前記第７発明に係る軟質材料が発泡樹脂材である、仕切り材である。
【００１７】
（第９発明の構成）
上記課題を解決するための本願第９発明の構成は、前記第６発明〜第９発明のいずれかに係る仕切り材が、切欠部又は凹みを１個だけ設けた小型のものであり、又は複数の切欠部又は凹みを設けた比較的大型のものである、仕切り材である。
【発明の効果】
【００１８】
（第１発明の効果）
第１発明の宝飾品ケースにおいては、本体に対してフタを閉じた状態において、宝飾品は仕切り材の切欠部又は凹みにスッポリとはまり込んでいる。そのため、宝飾品ケースが縦向きの方向でカバン等に入れて持ち運ばれる場合や、宝飾品ケースが裏向きになった場合、更には宝飾品ケースやこれを入れたカバン等に衝撃が加わった場合にも、宝飾品は宝飾品ケースの内部で乱雑に分散することはないし、宝飾品が相互に衝突して損傷を生じる恐れもない。又、顧客に対して宝飾品ケースを開いて宝飾品を見せる場合、内部の宝飾品の乱雑な分散により不体裁となる恐れもない。
【００１９】
更に、仕切り材は台座とフタとの間のスペースを塞ぐ形状を持つので、切欠部又は凹み以外の部分がそのまま値札押さえとして機能する。従って、従来の宝飾品ケースのように値札押さえ用のプレートを設置する必要がない。
【００２０】
しかも、仕切り材はフタに組み込まれているので、顧客に宝飾品を見せるためにフタを開けた際には、値札に対する押さえが自動的に外れる。従って、フタを開けた状態でもプレートが値札を押さえ付けている従来技術の場合とは異なり、顧客が宝飾品を手に取って鑑賞しようとした際に、宝飾品と値札を繋いでいる糸が切れたり、宝飾品が指から勢いよく脱落して床に落ちてしまったりする恐れがない。値札をプレートから丁寧に外した後に宝飾品を取り上げる、と言うような面倒な手間も不要である。
【００２１】
（第２発明の効果）
前記第１発明に係る仕切り材としては、第２発明のように、軟質材料からなるものが特に好ましい。なぜなら、宝飾品がスリットから外れて仕切り材の切欠部又は凹みの内部で転動し、切欠部又は凹みの内周壁部に繰り返し衝突する場合があり得るが、その場合に宝飾品がソフトに保護される。又、宝飾品の値札に対してもソフトな押さえ作用を期待することができる。
【００２２】
（第３発明の効果）
前記第２発明に係る軟質材料としては、とりわけ軟質の発泡樹脂材が好ましい。軟質の発泡樹脂材は、ソフトであるだけでなく、圧縮性もあり、上記第２発明の作用がとりわけ良好に発揮される。
【００２３】
（第４発明の効果）
上記した第１発明〜第３発明の効果、特に宝飾品に対する保護効果は、宝飾品を複数個収納できる比較的大型の宝飾品ケースだけでなく、宝飾品を１個だけ収納できるような小型の宝飾品ケースにおいても同様に期待できる。
【００２４】
（第５発明の効果）
第５発明のように、宝飾品ケースの本体とフタは互いに分離可能であっても良いし、ヒンジを介して連結されていても構わない。又、仕切り材はフタに対して固定的に組み込まれていても良いし、フタに対して取り外し可能に組み込まれていても構わない。
【００２５】
（第６発明の効果）
第６発明の仕切り材は、本体とこれを覆う形状を持つフタとからなる宝飾品ケースの前記フタに組み込むためのものであって、本体側に配列される宝飾品に対応する部位に切欠部又は凹みを設けている。従って、宝飾品ケースに収容された宝飾品に対して、第１発明〜第３発明で前記したような効果を期待することができる。
【００２６】
又、この仕切り材は、従来の宝飾品ケースのフタに組み込むことにより、これを本願発明と同様の作用・効果を伴う宝飾品ケースに変えることができる。
【００２７】
（第７発明の効果）
前記第６発明に係る仕切り材としては、第７発明のように、軟質材料からなるものが特に好ましい。なぜなら、宝飾品がスリットから外れて仕切り材の切欠部又は凹みの内部で転動し、切欠部又は凹みの内周壁部に繰り返し衝突する場合があり得るが、その場合に宝飾品がソフトに保護される。又、宝飾品の値札に対してもソフトな押さえ作用を期待することができる。
【００２８】
（第８発明の効果）
前記第７発明に係る軟質材料としては、とりわけ軟質の発泡樹脂材が好ましい。軟質の発泡樹脂材は、ソフトであるだけでなく、圧縮性もあり、上記第７発明の作用がとりわけ良好に発揮される。
【００２９】
（第９発明の効果）
第６発明〜第８発明に係る仕切り材は、宝飾品を複数個収納できる比較的大型の宝飾品ケースに適用される場合だけでなく、宝飾品を１個だけ収納できるような小型の宝飾品ケースに適用される場合においても、同様の効果を期待することができる。
【発明を実施するための最良の形態】
【００３０】
次に、本願の第１発明〜第９発明の実施形態を、その最良の形態を含めて説明する。以下において単に「本発明」と言うときは上記の各発明を一括して指している。
【００３１】
〔宝飾品ケース〕
本発明に係る宝飾品ケースは本体とこれをカバーする形状のフタとからなり、前記本体には、宝飾品の厚みの薄い部分（例えば指輪のリング部）をはめ込んで固定するためのスリットを設けた台座を組み込み、この台座とフタとの間には宝飾品を収容できる一定のスペースを設定したものである。一般的には、本体は上方が開口した薄い箱状に形成され、フタは下方が開口した薄い箱状に形成され、本体とフタを閉じた際に宝飾品ケース全体として中空の箱を形成するようになっている場合が多い。即ち、宝飾品ケースの本体そのものは、基本的に従来の宝飾品ケースと同様に構成されている。
【００３２】
前記フタには、前記台座とフタとの間のスペースを塞ぐ形状を持ち、かつ台座上に配列された宝飾品に対応する部位に切欠部又は凹みを設けた仕切り材を組み込んでおり、この仕切り材が本発明の最大の特徴である。
【００３３】
なお、宝飾品ケースは、宝飾品を１個収納できる小型のものでも良く、宝飾品を複数個収納できる比較的大型のものであっても良い。例えば、上記した小型の宝飾品ケースとしては、直径が５ｃｍ程度のプレセントに利用されるようなものが含まれる。上記した比較的大型の宝飾品ケースとしては、例えば縦横のサイズが１０ｃｍ以上で通常のカバン程度以下のサイズのものもあり得るし、それ以上のサイズのものもあり得る。
【００３４】
宝飾品ケースの形状は限定されないが、例えば後述の実施例で図示するような長方形あるいは正方形等の四角形の平面形状を持つ薄い箱型であっても良いし、同様な平面形状を持つ比較的厚い箱型であっても良い。更に、円形、楕円形等の任意の平面形状を持つ薄い箱型又は比較的厚い箱型であっても良い。
【００３５】
更に、本体とフタは単なる重ねフタ形式で互いに分離可能であっても良いし、ヒンジ（蝶番）を介して連結されていても良い。又、本体とフタとは、フタを閉じた状態において適宜なロック機構によって互いに堅牢にロック可能な構成であっても良い。
【００３６】
〔台座〕
台座は、前記したように箱状の本体に組み込まれるものである。その組み込みの形態は、本体に対していわゆる「嵌め殺し」のように固定的であっても良く、本体から取り外し可能であっても良い。
【００３７】
台座の表面には、宝飾品ケースや台座のサイズに対応して、１個ないしは多数個のスリットが形成されている。このスリットは、例えば指輪のリング部のような宝飾品の厚みの薄い部分をはめ込んで、容易に取り出せる状態で固定するためのものである。従って、宝飾品の形状あるいは固定形態に対応して、種々の形状のスリットが形成される。
【００３８】
又、宝飾品は、顧客に対する展示等の目的からしても、その要部（例えば、宝石付きの指輪における宝石部分）が台座上に露出した状態で台座に固定されることが好ましい。従って、宝飾品ケースの本体とフタとを閉じた状態においては、台座の表面とフタとの間に、宝飾品の露出部分を十分に収容できるスペースが確保されている必要がある。
【００３９】
〔仕切り材〕
仕切り材は台座とフタとの間の上記スペースを塞ぐ形状を持ち、かつ台座上に配列された宝飾品に対応する部位に切欠部又は凹みを設けたものである。従って、宝飾品ケースの本体とフタとを閉じた状態においては、台座上に露出した個々の宝飾品が、それぞれ仕切り材の個々の切欠部又は凹みにスッポリと納まる。
【００４０】
又、仕切り材は台座とフタとの間のスペースを塞ぐ形状を持つ。そのため、宝飾品に対して糸やヒモで値札が結び付けてある場合には、仕切り材における切欠部又は凹み以外の部分がそのまま値札押さえとして機能する。
【００４１】
仕切り材は金属、無機質材料、木、硬質プラスチック等の堅い材料を以て形成されていても良いが、ゴム、エラストマー（軟質プラスチック）等の柔らかい材料を以て形成されていることが、より好ましい。発泡樹脂材のような圧縮性のある柔らかい材料を以て形成されていることが、更に好ましい。
【００４２】
〔宝飾品〕
宝飾品ケースに収容される宝飾品の種類は、それが台座に固定可能な形状あるいは形態を有する限りにおいて、限定がない。例えば、金属、特に貴金属からなる指輪、これらに対して更に宝石が固定されたもの、各種の形状のイヤリングあるいはピアス等の各種の宝飾品が限定なく含まれる。
【実施例】
【００４３】
以下に、本発明の一実施例を図面に基づいて説明する。本発明の技術的範囲がこの実施例によって限定されないことは、もちろんである。
【００４４】
（実施例の構成）
図２に示すように、宝飾品ケース８は、底の浅い箱状体である本体９と、これを閉じてカバーするための同様な形状のフタ１０とからなる。本体９には、宝飾品１１の厚みの薄い部分（例えば、宝石付きの指輪のリング部等）をはめ込んで固定するためのスリット１２を設けた台座１３を組み込んでおり、この台座１３とフタ１０との間には、宝飾品１１がフタ１０と直接に接触しないように、宝飾品１１を収容できる一定のスペース１４（箱状のフタ１０における凹み部分：図３参照）を設定し、このスペース１４に仕切り材１５をはめ込んでいる。なお、宝飾品１１には値札１１’が糸によって繋がれている。
【００４５】
仕切り材１５は軟質の発泡樹脂材からなり、図３に示すように前記のスペース１４を塞ぐ形状を持つ。そして、仕切り材１５は、台座１３上に配列された宝飾品１１に対応する部位に多数の切欠部１６を設けている。
【００４６】
図５には、仕切り材の変更実施例の部分断面図を示す。図５に示す仕切り材１７は、軟質の発泡樹脂材からなり、その下面側において、台座１３上に配列された宝飾品１１に対応する部位に多数の凹み１８を設けている。
【００４７】
（実施例の作用）
以上のように構成された宝飾品ケース８においては、宝飾品１１は、その厚みの薄い部分を台座１３のスリット１２にはめ込んで、台座１３上に整然と配列した状態で固定される。即ち、宝飾品ケース８の内部に多数の宝飾品１１を整然と配列した状態で収納し、例えば営業活動において、顧客先にこれを持ち運ぶことができる。そして顧客に対して、フタ１０を開けるだけで、多数の宝飾品４を体裁良く展示することができる。
【００４８】
しかも、この宝飾品ケース８においては、本体９に対してフタ１０を閉じた状態において、宝飾品１１は仕切り材１５の切欠部１６（又は、仕切り材１７の凹み１８）にスッポリとはまり込んでいる。そのため、宝飾品ケース８が縦向きの方向でカバン等に入れて持ち運ばれる場合や、宝飾品ケース８が裏向きになった場合、宝飾品ケース８やこれを入れたカバン等に衝撃が加わった場合等においても、宝飾品１１は宝飾品ケース８の内部で乱雑に分散することはないし、宝飾品１１が相互に衝突して損傷を生じる恐れもない。又、顧客に対して宝飾品ケース８を開いて宝飾品１１を見せる場合、内部の宝飾品１１の乱雑な分散により不体裁となる恐れもない。
【００４９】
図市のように宝飾品１１が糸で結ばれた値札１１’を伴う場合、仕切り材１５（又は、仕切り材１７）は、台座１３とフタ１０との間のスペース１４を塞ぐ形状を持つので、これがそのまま値札１１’に対する押さえとして機能する。従って、従来の宝飾品ケースのように値札押さえ用のプレートを設置する必要がない。
【産業上の利用可能性】
【００５０】
本発明によって、宝飾品ケースやこれを収容したカバン等が縦向きに運搬されたり外部衝撃を受けたりしても、内部の宝飾品が損傷したり乱雑に分散する恐れのない、便利な宝飾品ケース又はその仕切り材が提供される。
【図面の簡単な説明】
【００５１】
【図１】従来の宝飾品ケースを示す斜視図である。
【００５２】
【図２】本発明の実施例に係る宝飾品ケースを示す斜視図である。
【００５３】
【図３】図２の宝飾品ケースを閉じた状態を、上半部を断面にして示す図である。
【００５４】
【図４】本発明の実施例に係る仕切り材を示す斜視図である。
【００５５】
【図５】仕切り材の変更実施例を示す要部断面図である。
【符号の説明】
【００５６】
８              宝飾品ケース
９              本体
１０            フタ
１１            宝飾品
１１’          値札
１２            スリット
１３            台座
１４            スペース
１５，１７      仕切り材
１６            切欠部
１８            凹み
【図１】
2005245556.tif 000003
【図２】
2005245556.tif 000004
【図３】
2005245556.tif 000005
【図４】
2005245556.tif 000006
【図５】
2005245556.tif 000007